(57)【要約】【課題】  適した通信手段を用いて受信したデータを自動設定可能な電子機器を提供することを目的とする。【解決手段】  ＨＤＤレコーダはデジタルＴＶとＨＤＭＩ通信および無線ＬＡＮ通信することが可能である。ＨＤＤレコーダはデジタルＴＶに設定されているデータをＨＤＭＩ通信を介して取得し、取得したデータを設定する。しかしながら、ＨＤＭＩ通信を介して取得できないデータである場合、ＨＤＤレコーダは無線ＬＡＮ通信を介してそのデータを取得し、取得したデータを設定する。【選択図】      図２
2008092206.tif 000002
【特許請求の範囲】
【請求項１】
外部機器と通信可能な電子機器において、
前記外部機器と通信を行う第１の通信手段と、
前記外部機器と通信を行い前記第１の通信手段とは異なる第２の通信手段と、
前記第１の通信手段によって前記外部機器と通信可能であるか否かを判別する手段と、
前記第１の通信手段によって前記外部機器と通信可能であると判別された場合、前記第１の通信手段を用いて取得可能なデータであるか否かを判別する手段と、
前記第１の通信手段を用いて取得可能なデータであると判別された場合、前記第２の通信手段を用いずに前記第１の通信手段を用いて前記第１の通信手段を用いて伝送可能であると判別されたデータを前記外部機器から伝送させる手段と、
前記外部機器から前記第１の通信手段を用いて伝送させたデータを設定する設定手段と、
を具備することを特徴とする電子機器。
【請求項２】
前記第２の通信手段によって前記外部機器と通信可能であるか否かを判別する手段と、
前記第２の通信手段によって前記外部機器と通信可能であると判別された場合、前記第１の通信手段によって取得可能なデータでは無いと判別されたデータを前記第２の通信手段を用いて前記外部機器から伝送させる手段と、
前記外部機器から前記第２の通信手段を用いて伝送させたデータを設定する設定手段と、
を具備することを特徴とする請求項１記載の電子機器。
【請求項３】
外部機器と通信可能な電子機器にて実行されるデータ設定方法において、
第１の通信手段を用いて前記外部機器との間で伝送可能なデータであるか否かを判別し、
前記第１の通信手段を用いて伝送可能なデータであると判別された場合、前記第１の通信手段とは異なる第２の通信手段を用いずに前記第１の通信手段を用いて前記外部機器から前記伝送可能であると判別されたデータを伝送させ、
前記外部機器から前記第１の通信手段を用いて伝送させたデータを設定することを特徴とするデータ設定方法。
【請求項４】
前記第２の通信手段によって前記外部機器と通信可能であるか否かを判別し、
前記第２の通信手段によって前記外部機器と通信可能であると判別された場合、前記第１の通信手段によって伝送可能なデータでは無いと判別されたデータを前記第２の通信手段を用いて前記外部機器から伝送させ、
前記外部機器から前記第２の通信手段を用いて伝送させたデータを設定することを特徴とする請求項３記載のデータ設定方法。
【発明の詳細な説明】
【技術分野】
【０００１】
本発明は、自動的にデータを設定可能な電子機器およびデータ設定方法に関する。
【背景技術】
【０００２】
デジタル映像信号を伝送するための規格としてＤＶＩ（Digital Visual Interface）規格が普及している。近年、このＤＶＩをさらに改良したデジタル信号伝送規格であるＨＤＭＩ（High-Definition Multimedia Interface）規格が普及しつつある。
【０００３】
このＨＤＭＩ規格には、例えば、デジタル映像信号のブランキング期間にデジタル音声信号を多重化して音声伝送を行うことが可能であること、デジタル映像信号をＲ、Ｇ、Ｂ形式の他に色差（Ｙ、Ｃｂ、Ｃｒ）形式で伝送することが可能であること等、ＤＶＩ規格に無い種々の規格が盛り込まれている。
【０００４】
ＨＤＭＩ規格の伝送信号には、アスペクト情報等の表示関連情報も含まれており、その表示関連情報を利用することにより、表示モード、例えばテレビジョン信号受信機にて表示される画像のアスペクトを抽出したアスペクト情報に従って自動的に設定することが可能である。
【０００５】
電子機器間でやり取りされる信号を用いて自動設定する技術として上述にて説明した技術のほかに、以下の特許文献１中に示される技術があった。
【特許文献１】特開２００６−１５５２１０号公報
【発明の開示】
【発明が解決しようとする課題】
【０００６】
通信相手の機器から通信手段を介して自動的にデータを入手し、入手したデータを自動的に設定することが可能であっても、例えば大量なデータを入手して設定する場合にデータ伝送速度の速い通信手段よりもデータ伝送速度の遅い通信手段を用いると、入手したデータの設定完了までに時間を要してしまうという問題がある。
【０００７】
本発明は上記実情に鑑みてなされたものであり、適した通信手段を用いて受信したデータを自動設定可能な電子機器を提供することを目的とする。
【課題を解決するための手段】
【０００８】
本発明に係る電子機器は、外部機器と通信可能な電子機器において、外部機器と通信可能な電子機器において、前記外部機器と通信を行う第１の通信手段と、前記外部機器と通信を行い前記第１の通信手段とは異なる第２の通信手段と、前記第１の通信手段によって前記外部機器と通信可能であるか否かを判別する手段と、前記第１の通信手段によって前記外部機器と通信可能であると判別された場合、前記第１の通信手段を用いて取得可能なデータであるか否かを判別する手段と、前記第１の通信手段を用いて取得可能なデータであると判別された場合、前記第２の通信手段を用いずに前記第１の通信手段を用いて前記第１の通信手段を用いて伝送可能であると判別されたデータを前記外部機器から伝送させる手段と、前記外部機器から前記第１の通信手段を用いて伝送させたデータを設定する設定手段と、を具備することを特徴とする。
【０００９】
本発明に係るデータ設定方法は、外部機器と通信可能な電子機器にて実行されるデータ設定方法において、第１の通信手段を用いて前記外部機器との間で伝送可能なデータであるか否かを判別し、前記第１の通信手段を用いて伝送可能なデータであると判別された場合、前記第１の通信手段とは異なる第２の通信手段を用いずに前記第１の通信手段を用いて前記外部機器から前記伝送可能であると判別されたデータを伝送させ、前記外部機器から前記第１の通信手段を用いて伝送させたデータを設定することを具備することを特徴とする。
【発明の効果】
【００１０】
適した通信手段を用いて受信したデータを自動設定可能な電子機器を提供することが可能となる。
【発明を実施するための最良の形態】
【００１１】
図１は、互いに接続可能なデジタルＴＶ１およびＨＤＤレコーダ２のハードウェア構成の一例を示す図である。
【００１２】
デジタルＴＶ１は、ＣＰＵ１０、ＲＯＭ１１、ＲＡＭ１２、チューナ１３、アンテナ１４、表示部１５、ＨＤＭＩ（High-Definition Multimedia Interface）通信部１６および無線ＬＡＮ（Local Area Network）通信部１７で構成される。
【００１３】
ＣＰＵ１０はデジタルＴＶ１を構成するシステム全体を制御する。ＣＰＵ１０は例えばＲＯＭ１１に格納されているプログラムをＲＡＭ１２にロードし、ＲＡＭ１２にロードしたプログラムを実行する。
【００１４】
ＲＯＭ１１にはプログラム、プログラムの実行により生成されたデータ等が格納される。
【００１５】
チューナ１３にはアンテナ１４が接続されている。アンテナ１４は例えばデジタル放送局から送信されたデジタル放送を受信する。チューナ１３はアンテナ１４にて受信したデジタル波に対してデコード処理、ノイズリダクション処理する。
【００１６】
ＨＤＭＩ通信部１６および無線ＬＡＮ通信部１７は外部機器との通信時に使用される。例えば、ＨＤＤレコーダ２との通信に使用される。
【００１７】
無線ＬＡＮ通信部１７を使用する場合の通信のデータ転送速度は、ＨＤＭＩ通信部１６を使用する場合の通信のデータ転送速度と比較して早い。一例を挙げると、無線ＬＡＮ通信（IEEE802.11 a/g）のデータ転送速度は54Mbpsであり、ＨＤＭＩのデータ転送速度は５００ｂｐｓであるので、無線ＬＡＮ通信のデータ転送速度はＨＤＭＩのデータ転送速度のおよそ１０万倍ということになる。
【００１８】
ＨＤＤレコーダ２は、ＣＰＵ２０、ＲＯＭ２１、ＲＡＭ２２、チューナ２３、アンテナ２４、ＯＤＤ２５、ＨＤＭＩ通信部２６、無線ＬＡＮ通信部２７およびＨＤＤ２８で構成される。
【００１９】
ＣＰＵ２０はＨＤＤレコーダ２を構成するシステム全体を制御する。ＣＰＵ２０は例えばＲＯＭ２１に格納されているプログラムをＲＡＭ２２にロードし、ＲＡＭ２２にロードしたプログラムを実行する。
【００２０】
ＲＯＭ２１にはプログラム、プログラムの実行により生成されたデータ等が格納される。
【００２１】
チューナ２３にはアンテナ２４が接続されている。アンテナ２４は例えばデジタル放送局から送信されたデジタル放送を受信する。チューナ２３はアンテナ２４にて受信したデジタル波に対してデコード処理、ノイズリダクション処理する。
【００２２】
ＯＤＤ２５はＨＤＤレコーダ２にセットされたＤＶＤに記憶されているデータをリードする。ＣＰＵ２０は所定のアプリケーションといったプログラムを実行することでＯＤＤ２５によってリードされたデータを例えばデジタルＴＶ１といった表示デバイスに表示可能なデータに処理する。
【００２３】
一方、ＣＰＵ２０は所定のアプリケーションといったプログラムを実行することで、チューナ２３から出力されるデータをＨＤＤレコーダ２にセットされるＤＶＤにＯＤＤ２５を介して記憶させる。また、ＣＰＵ２０は所定のアプリケーションといったプログラムを実行することで、チューナ２３から出力されるデータをＨＤＤ２８に記憶させる。
【００２４】
ＨＤＭＩ通信部２６および無線ＬＡＮ通信部２７は外部機器との通信時に使用される。例えば、デジタルＴＶ１との通信に使用される。次に、本発明の第１の実施形態について説明する。
【００２５】
図２は、本発明の第１の実施形態である、デジタルＴＶ１およびＨＤＤレコーダ２にて実行される処理の流れ図の一例を示す図である。
【００２６】
デジタルＴＶ１は既にユーザによって使用されており、デジタルＴＶ１には、チャネルデータ、番組データ、現在時刻データといったデータが既に設定されており、利用する映像コンテンツや設定情報から「画面形状」が算出可能であるものとする。また、デジタルＴＶ１とＨＤＤレコーダ２とは、ＨＤＭＩケーブルによって互いに接続されているものとする。
【００２７】
ＨＤＤレコーダ２のＨＤＭＩ通信部２６は、ＨＤＭＩケーブルを介してデジタルＴＶ１と通信可能であるか否かを判断する（ステップ  Ｓ１００）。ＨＤＭＩ通信部２６がデジタルＴＶ１と通信可能であると判断した場合（ステップ  Ｓ１００  Ｙｅｓ）、ＨＤＤレコーダ２のＣＰＵ２０は所定のプログラムを実行することで、設定に要するデータが何であるかを判別する（ステップ  Ｓ１０１）。例えば、ＣＰＵ２０は所定のプログラムを実行することで、設定に要するデータが「番組データ」「チャンネルデータ」「現在時刻データ」「画面サイズデータ」「予約データ」であることを判別する。
【００２８】
さらに、ＨＤＤレコーダ２のＣＰＵ２０は所定のプログラムを実行することで、設定に要するデータの内、無線ＬＡＮ通信では無く、ＨＤＭＩの通信速度などの物理的制限を考慮してＨＤＭＩを介して送受信可能なデータが何であるかを判別する（ステップ  Ｓ１０２）。例えば、ＣＰＵ２０は所定のプログラムを実行することで、設定に要するデータの内、ＨＤＭＩを介して送受信可能なデータが「チャンネルデータ」「現在時刻データ」「画面形状」「予約データ」であることを判別する。
【００２９】
ＨＤＤレコーダ２のＣＰＵ２０は所定のプログラムを実行することで、デジタルＴＶ１からステップＳ１０２によって判別したデータを送信してもらうようデジタルＴＶ１に要求する（ステップ  Ｓ１０３）。ＨＤＭＩ通信部２６はＳ１０３の要求をデジタルＴＶ１に送信する（ステップ  Ｓ１０４）。
【００３０】
デジタルＴＶ１のＨＤＭＩ通信部１６はＨＤＤレコーダ２のＨＤＭＩ通信部２６から送出された要求を受信する（ステップ  Ｓ１０５）。
【００３１】
デジタルＴＶ１のＣＰＵ１０は所定のプログラムを実行することで、ＨＤＭＩ通信部１６にて受信した要求に基づいて、ＨＤＤレコーダ２から要求されたデータが存在するか否かを判別する（ステップ  Ｓ１０６）。例えば、ＣＰＵ１０は所定のプログラムを実行することで「チャンネルデータ」「現在時刻データ」「画面形状」「予約データ」が存在するか否かを判別する。
【００３２】
デジタルＴＶ１のＣＰＵ１０は所定のプログラムを実行することで、ステップＳ１０６にて、デジタルＴＶ１に存在すると判別されたデータをＨＤＭＩ通信部１６を介して送信するよう処理する（ステップ  Ｓ１０７）。ＨＤＭＩ通信部１６はデジタルＴＶ１に存在すると判別されたデータをＨＤＤレコーダ２に送信する（ステップ  Ｓ１０８）。例えば、ＣＰＵ１０は所定のプログラムを実行することで、「チャンネルデータ」「現在時刻データ」「画面サイズデータ」をＨＤＭＩ通信部１６を介して送信するよう処理し、ＨＤＭＩ通信部１６は「チャンネルデータ」「現在時刻データ」「画面形状」をＨＤＤレコーダ２に送信する。
【００３３】
また、デジタルＴＶ１のＣＰＵ１０は所定のプログラムを実行することで、ステップＳ１０６にてデジタルＴＶ１に存在しないと判別されたデータがある場合、その旨を示すデータをＨＤＭＩ通信部１６を介して送信するよう処理する（ステップ  Ｓ１０９）。ＨＤＭＩ通信部１６は、デジタルＴＶ１に存在しないと判別された旨をＨＤＤレコーダ２に送信する。例えば、ＣＰＵ１０は所定のプログラムを実行することで、「予約データ」がデジタルＴＶ１に存在しないと判別し、「「予約データ」がデジタルＴＶ１に存在しない」旨をＨＤＭＩ通信部１６を介して送信するように処理し、ＨＤＭＩ通信部１６は「「予約データ」がデジタルＴＶ１に存在しない」旨を示すデータをＨＤＤレコーダ２に送信する。
【００３４】
ＨＤＤレコーダ２のＨＤＭＩ通信部２６はステップＳ１０８およびステップＳ１０９にてデジタルＴＶ１のＨＤＭＩ通信部１６から送信されたデータを受信する（ステップ  Ｓ１１０）。
【００３５】
ＨＤＤレコーダ２のＣＰＵ２０は所定のプログラムを実行することで、ＨＤＭＩ通信部２６にて受信したデータを用いて設定処理を行う（ステップ  Ｓ１１１）。例えば、ＣＰＵ２０は所定のプログラムを実行することで、ＨＤＭＩ通信部２６にて受信した「チャンネルデータ」「現在時刻データ」「画面形状」を用いて設定処理を行う。
【００３６】
このように、例えば新規に購入したＨＤＤレコーダに「チャネルデータ」等の情報を設定する場合に、図２を用いて説明した方法によって、ユーザがＨＤＤレコーダに情報を設定すること無く、既に情報が設定されている機器と接続することで自動的に情報の設定を行うことが可能となる。次に、本発明の第２の実施形態について説明する。
【００３７】
図３は、本発明の第２の実施形態である、デジタルＴＶ１およびＨＤＤレコーダ２にて実行される処理の一例を示す第１の流れ図である。
【００３８】
図４は、本発明の第２の実施形態である、デジタルＴＶ１およびＨＤＤレコーダ２にて実行される処理の一例を示す第２の流れ図である。
【００３９】
デジタルＴＶ１は既にユーザによって使用されており、デジタルＴＶ１には、チャネルデータ、番組データ、現在時刻データといったデータが既に設定されており、利用する映像コンテンツや設定情報から「画面形状」が算出可能であるものとする。デジタルＴＶ１は、無線ＬＡＮの使用時に用いる認証情報を有している。また、デジタルＴＶ１とＨＤＤレコーダ２とは、ＨＤＭＩケーブルによって互いに接続されているものとする。
【００４０】
ＨＤＤレコーダ２のＨＤＭＩ通信部２６は、ＨＤＭＩケーブルを介してデジタルＴＶ１と通信可能であるか否かを判断する（ステップ  Ｓ２００）。ＨＤＭＩ通信部２６がデジタルＴＶ１と通信可能であると判断した場合（ステップ  Ｓ２００  Ｙｅｓ）、ＨＤＤレコーダ２のＣＰＵ２０は所定のプログラムを実行することで、設定に要するデータが何であるかを判別する（ステップ  Ｓ２０１）。例えば、ＣＰＵ２０は所定のプログラムを実行することで、設定に要するデータが「番組データ」「チャンネルデータ」「現在時刻データ」「画面形状」「予約データ」「無線ＬＡＮの使用時に用いる認証情報」であることを判別する。
【００４１】
さらに、ＨＤＤレコーダ２のＣＰＵ２０は所定のプログラムを実行することで、設定に要するデータの内、無線ＬＡＮ通信ではなく、ＨＤＭＩの通信速度などの物理的制限を考慮してＨＤＭＩを介して送受信可能なデータが何であるかを判別する（ステップ  Ｓ２０２）。例えば、ＣＰＵ２０は所定のプログラムを実行することで、設定に要するデータの内、ＨＤＭＩを介して送受信可能なデータが「チャンネルデータ」「現在時刻データ」「画面形状」「予約データ」「無線ＬＡＮの使用時に用いる認証情報」であることを判別する。
【００４２】
ＨＤＤレコーダ２のＣＰＵ２０は所定のプログラムを実行することで、デジタルＴＶ１からステップＳ２０２によって判別したデータを送信してもらうようデジタルＴＶ１に要求する（ステップ  Ｓ２０３）。ＨＤＭＩ通信部２６はＳ２０３の要求をデジタルＴＶ１に送信する（ステップ  Ｓ２０４）。
【００４３】
デジタルＴＶ１のＨＤＭＩ通信部１６はＨＤＤレコーダ２のＨＤＭＩ通信部２６から送出された要求を受信する（ステップ  Ｓ２０５）。
【００４４】
デジタルＴＶ１のＣＰＵ１０は所定のプログラムを実行することで、ＨＤＭＩ通信部１６にて受信した要求に基づいて、ＨＤＤレコーダ２から要求されたデータが存在するか否かを判別する（ステップ  Ｓ２０６）。例えば、ＣＰＵ１０は所定のプログラムを実行することで「チャンネルデータ」「現在時刻データ」「画面形状」「予約データ」「無線ＬＡＮの使用時に用いる認証情報」が存在するか否かを判別する。
【００４５】
デジタルＴＶ１のＣＰＵ１０は所定のプログラムを実行することで、ステップＳ２０６にて、デジタルＴＶ１に存在すると判別されたデータをＨＤＭＩ通信部１６を介して送信するよう処理する（ステップ  Ｓ２０７）。ＨＤＭＩ通信部１６はデジタルＴＶ１に存在すると判別されたデータをＨＤＤレコーダ２に送信する（ステップ  Ｓ２０８）。例えば、ＣＰＵ１０は所定のプログラムを実行することで、「チャンネルデータ」「現在時刻データ」「画面サイズデータ」「無線ＬＡＮの使用時に用いる認証情報」をＨＤＭＩ通信部１６を介して送信するよう処理し、ＨＤＭＩ通信部１６は「チャンネルデータ」「現在時刻データ」「画面形状」「無線ＬＡＮの使用時に用いる認証情報」をＨＤＤレコーダ２に送信する。
【００４６】
また、デジタルＴＶ１のＣＰＵ１０は所定のプログラムを実行することで、ステップＳ２０６にてデジタルＴＶ１に存在しないと判別されたデータがある場合、その旨を示すデータをＨＤＭＩ通信部１６を介して送信するよう処理する（ステップ  Ｓ２０９）。ＨＤＭＩ通信部１６は、デジタルＴＶ１に存在しないと判別された旨を示すデータをＨＤＤレコーダ２に送信する。例えば、ＣＰＵ１０は所定のプログラムを実行することで、「予約データ」がデジタルＴＶ１に存在しないと判別し、「「予約データ」がデジタルＴＶ１に存在しない」旨をＨＤＭＩ通信部１６を介して送信するように処理し、ＨＤＭＩ通信部１６は「「予約データ」がデジタルＴＶ１に存在しない」旨を示すデータをＨＤＤレコーダ２に送信する。
【００４７】
ＨＤＤレコーダ２のＨＤＭＩ通信部２６はステップＳ２０８およびステップＳ２０９にてデジタルＴＶ１のＨＤＭＩ通信部１６から送信されたデータを受信する（ステップ  Ｓ２１０）。
【００４８】
ＨＤＤレコーダ２のＣＰＵ２０は所定のプログラムを実行することで、ＨＤＭＩ通信部２６にて受信したデータを用いて設定処理を行う（ステップ  Ｓ２１１）。例えば、ＣＰＵ２０は所定のプログラムを実行することで、ＨＤＭＩ通信部２６にて受信した「チャンネルデータ」「現在時刻データ」「画面形状」「無線ＬＡＮの使用時に用いる認証情報」を用いて設定処理を行う。
【００４９】
ＨＤＤレコーダ２は、設定した「無線ＬＡＮの使用時に用いる認証情報」を用いて、デジタルＴＶ１と無線ＬＡＮ接続を確立する（ステップ  Ｓ２１２）。
【００５０】
ＨＤＤレコーダ２のＣＰＵ２０は所定のプログラムを実行することで、ステップＳ２０２にてＨＤＭＩを介して送受信可能なデータでは無いと判別された「番組データ」を、無線ＬＡＮ通信を介して送信してもらうようデジタルＴＶ１に要求する（ステップ  Ｓ２１３）無線ＬＡＮ通信部２７はＳ２１３の要求をデジタルＴＶ１に送信する（ステップ  Ｓ２１４）。
【００５１】
デジタルＴＶ１の無線ＬＡＮ通信部１７はＨＤＤレコーダ２の無線ＬＡＮ通信部２７から送出された要求を受信する（ステップ  Ｓ２１５）。
【００５２】
デジタルＴＶ１のＣＰＵ１０は所定のプログラムを実行することで、無線ＬＡＮ通信部１７にて受信した要求に基づいて、ＨＤＤレコーダ２から要求されたデータが存在するか否かを判別する（ステップ  Ｓ２１６）。例えば、ＣＰＵ１０は所定のプログラムを実行することで「番組データ」が存在するか否かを判別する。
【００５３】
デジタルＴＶ１のＣＰＵ１０は所定のプログラムを実行することで、ステップＳ２１６にて、デジタルＴＶ１に存在すると判別されたデータを無線ＬＡＮ通信部１７を介して送信するよう処理する（ステップ  Ｓ２１７）。無線ＬＡＮ通信部１７はデジタルＴＶ１に存在すると判別されたデータをＨＤＤレコーダ２に送信する（ステップ  Ｓ２１８）。例えば、ＣＰＵ１０は所定のプログラムを実行することで、「番組データ」を無線ＬＡＮ通信部１７を介して送信するよう処理し、無線ＬＡＮ通信部１７は「番組データ」をＨＤＤレコーダ２に送信する。
【００５４】
ＨＤＤレコーダ２の無線ＬＡＮ通信部２７はステップＳ２１８にてデジタルＴＶ１の無線ＬＡＮ通信部１７から送信されたデータを受信する（ステップ  Ｓ２１９）。
【００５５】
ＨＤＤレコーダ２のＣＰＵ２０は所定のプログラムを実行することで、無線ＬＡＮ通信部２７にて受信したデータを用いて設定処理を行う（ステップ  Ｓ２２０）。例えば、ＣＰＵ２０は所定のプログラムを実行することで、無線ＬＡＮ通信部２７にて受信した「番組データ」を用いて設定処理を行う。
【００５６】
このように、図３を用いて説明した方法によって、ユーザがＨＤＤレコーダに手動で情報を設定すること無く、既に情報が設定されている機器からＨＤＭＩ通信を介して情報を取得できなくても、無線ＬＡＮ通信を介して情報を取得するので、自動的に情報の設定を行うことが可能となる。
【００５７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５８】
【図１】互いに接続可能なデジタルＴＶ１およびＨＤＤレコーダ２のハードウェア構成の一例を示す図。
【図２】本発明の第１の実施形態である、デジタルＴＶ１およびＨＤＤレコーダ２にて実行される処理の流れ図の一例を示す図。
【図３】本発明の第２の実施形態である、デジタルＴＶ１およびＨＤＤレコーダ２にて実行される処理の一例を示す第１の流れ図。
【図４】本発明の第２の実施形態である、デジタルＴＶ１およびＨＤＤレコーダ２にて実行される処理の一例を示す第２の流れ図。
【符号の説明】
【００５９】
１…デジタルＴＶ、２…ＨＤＤレコーダ、
１０…ＣＰＵ、１１…ＲＯＭ、１２…ＲＡＭ、１３…チューナ、１４…アンテナ、
１５…表示部、１６…ＨＤＭＩ通信部、１７…無線ＬＡＮ通信部、
２０…ＣＰＵ、２１…ＲＯＭ、２２…ＲＡＭ、２３…チューナ、２４…アンテナ、
２５…ＯＤＤ、２６…ＨＤＭＩ通信部、２７…無線ＬＡＮ通信部、
【図１】
2008092206.tif 000003
【図２】
2008092206.tif 000004
【図３】
2008092206.tif 000005
【図４】
2008092206.tif 000006